(57)【要約】【目的】本発明は建築、構築物の既存外壁面を新規外壁で改修するための構造に関するものである。さらに詳しくは、新規の既存外壁を取り付けるための支持具を、建物の躯体（下地）に直接固定した持出梁状支持具とすることによって、既存外壁の損傷を最小とし、しかも、新規外壁の取付強度も充分な既存外壁の改修下地構造に関するものである。【構成】主に、既存外壁Ａの一部を除去して形成した開口部２と、該開口部２を介して既存外壁の既存下地１に固定する支持具１１と、支持具１１の他端に直接あるいは受具１４を介して固定する主胴縁２１と、主胴縁２１に直交するように配設した従胴縁２２と、従胴縁２２を保持する受具１４とからなる改修下地構造において、これら主胴縁２１と従胴縁２２とが連結具４によって調整可能に連結され、前記既存外壁Ａの開口部２間に穿設した下孔３と、下孔３を介して設けたアンカー金具１２に従胴縁２２が直接または受具１４を介して固定されていることを特徴とする既存外壁の改修下地構造。【選択図】        図１
2004218380.tif 000002
【特許請求の範囲】
【請求項１】
既存外壁の一部を除去して形成した開口部を介して既存外壁の下地材に固定された支持具と、支持具の他端に直接あるいは受具を介して固定された主胴縁と、主胴縁に連結された従胴縁とから主に構成された改修下地構造において、リップ溝形鋼からなる主胴縁と従胴縁とが連結具によって連結され、開口部間に穿設した下孔を介して設けたアンカー金具に従胴縁が直接または受具を介して固定されていることを特徴とする既存外壁の改修下地構造。
【発明の詳細な説明】
【０００１】
【発明の属する技術分野】
本発明は建築、構築物の既存外壁面を改修するための下地構造に関するものである。さらに詳しくは、新規の外壁を取り付けるための支持具を建物の躯体（下地材）に直接固定した持出梁とすることによって、既存外壁の損傷を最小とし、しかも、新規の外壁の取付強度も充分な既存外壁の改修下地構造に関するものである。
【０００２】
【従来の技術】
一般に、改修下地構造としては▲１▼既存外壁を全て撤去して新規外壁を取り付ける方法、▲２▼既存外壁を下地材として新規外壁を取り付ける方法、▲３▼既存外壁の一部を除去して既存下地から持出して新規下地を形成し新規外壁を取り付ける方法等がある。
【０００３】
【特許文献１】
特公昭６３−３４９３５号
【特許文献２】
特開平１１−６２１７１号
【０００４】
【発明が解決しようとする課題】
上記▲１▼の方法では既存外壁をすべて撤去した場合の撤去費用や撤去した廃材の処理、工事期間中の建物の使用を中止しなければならない等の欠点があり、上記▲２▼の方法では新規壁材を固定、保持するための強度不足、既存外壁の表面の凹凸による不陸等の欠点があり、結論として▲３▼の方法が一番有効だが、既存下地に起因した制約が発生する場合が多く、必ずしも万能とはいえないものであった。
【０００５】
【課題を解決するための手段】
本発明はこのような欠点を解消するため、既存外壁に設けた開口部を介して下地材に固定された支持具と、支持具に固定された主胴縁と、連結具により主胴縁に連結された従胴縁とから主に構成され、開口部間に穿設した下孔を介して設けたアンカー金具に主胴縁または従胴縁が直接または受具を介して固定された構造にすることにより既存下地に起因した制約等を可能な限り除去できる既存外壁の改修下地構造を提案する。
【０００６】
【発明の実施の形態】
以下に、図面を用いて本発明に係る既存外壁の改修下地構造について説明する。
【０００７】
Ａは既存外壁であり、ＲＣ、ＡＬＣ、窯業系、金属系、カーテンウォールなどで、素材が脆弱であったり、あるいは経年変形によるひび割れや退色、強度低下しているものが主である。
【０００８】
Ｂは新規外壁で、図９に一点鎖線で示すように本発明の下地構造による胴縁上に張設される任意の外壁であり、例えば乾式外壁材や湿式外壁材等があるが、下地材に対する負荷、工期、コスト面等を考慮すると乾式外壁材がより好ましい。
【０００９】
１は既存外壁Ａの既存下地であり、具体的にはＨ形鋼、角形鋼、Ｉ形鋼等の鋼材からなるものである。
【００１０】
２は開口部であり、既存外壁Ａの一部を除去し、既存外壁Ａの既存下地１の配設位置に沿って既存外壁Ａにホールソー、電動ドリル等の孔開け機器を用いて形成され、この開口部２を介して支持具が既存下地１に固定され、その形状や大きさは後記する支持具が容易に挿入、固定できる程度であれば任意である。また、開口部において支持具周辺に気密性被覆材１７が形成されることもある。
【００１１】
３は下孔であり、後記するアンカー金具を既存外壁Ａに固定するさいに使用する下孔で、アンカー金具の大きさや形状に応じて既存外壁Ａに各種形状で穿設するものである。
【００１２】
１１は支持具であり、開口部２を介して一端を既存下地１に固定し、他端に新規外壁Ｂを取り付けるための胴縁等を固定するものである。
【００１３】
例えば、図４に示す支持具１１は円筒型の外部材と内部材との２部材からなり、外部材は既存下地１に固定される固定用底部と内部材と連結するためのネジ部とを有し、内部材は胴縁を固定する固定用底部並びに外部材と連結するためのネジ部を有し、螺合されている。しかし、本発明は、図４に示す支持具に限定されるものではなく、例えば、図示しないが各種断面の形鋼を直接、あるいは形鋼材の小口にフランジを形成し、このフランジを既存下地１に固定するもの等である。
【００１４】
２１と２２とは胴縁であるが、２１は支持具１１に固定される主胴縁で、２２は主胴縁２１に連結される従胴縁である。主胴縁２１と従胴縁２２とからなる略格子状の胴縁は新規外壁Ｂを形成する際の下地となるものであり、さらに、必要に応じて主胴縁２１または従胴縁２２に新たに新規胴縁を固定して新規外壁Ｂを取付けることもある。主胴縁２１と従胴縁２２はリップ溝形鋼であり、コスト等を考慮したものである。
【００１５】
１２はアンカー金具であり、開口部２間に設けられた下孔３を介して既存外壁Ａに固定されており、既存外壁Ａの内側（既存下地１側）で留めて、既存外壁Ａの外側に位置する面に受具１４または従胴縁２２を固定するものであり、特に従胴縁２２の振れを防止するのに有効である。支持具１１だけでは改修下地構造としての強度不足となる場合の対応、既存下地１の鋼材等のピッチからくる制約の除外、および費用や工数の節約等をも考慮したものである。
【００１６】
例えば、図６（ｂ）に示すアンカー金具１２はナット部１２ａを設けた円板と角板と両者を連結する棹と最後に螺合するボルト１２ｂとからなっており、円板を下孔３に挿入し、図６（ａ）に示すように円板が既存外壁Ａの裏面に達した時点で下に落としこみ、角板側からボルト１２ｂを用いて既存外壁Ａの裏面の円板に設けたナット部１２ａに螺合するものであり、既存外壁Ａのボルトを通す部分は予め窄孔しておくことが望ましい。さらに、下孔３を設けるさいにホールソー等により円柱状に除去してあれば、アンカー金具１２の固定後に円柱状除去物９を下孔３に埋め込むことができる。
【００１７】
また、図１ａや図１０に示すアンカー金具１２は既存外壁Ａの内側にナット部を固定するもので、具体的には、ナット部を折りたたんで下孔３に挿入した後に、ガイド部を引っ張ってナット部を既存外壁Ａの内側に固定して、ナット部とボルトとを螺合したものである。他には、図示しないが、接着剤を用いたり、内部で機械的に広がるような構成のアンカー金具１２を使用することができる。
【００１８】
１３は連結具であり、主胴縁２１に従胴縁２２を連結するさいに用いるもので、例としては、図８（ａ）に示すような略Ｌ字状の形状や図９に示すような形状である。
【００１９】
１４は受具であり、主胴縁や従胴縁がその形状により支持具１１やアンカー金具と直接に固定できない場合に用いられる。形状は主に図８（ｂ）に示すようなコ字状断面のものであり、リップ溝形鋼の開口面と支持具１１やアンカー金具とを固定するさいに用いる。
【００２０】
もちろん、支持具１１、アンカー金具１２、連結具１３、あるいは受具１４の固定部や連結部に長穴を予め穿設することで、主胴縁２１や従胴縁２２の固定や連結の調整が容易となる。また、固定部や連結部には必要に応じてパッキング等を用いることができる。
【００２１】
以下に、実施例を示すが、これにより本発明がこれらの実施例に限定されるものではない。
【００２２】
（実施例１）
本発明に係る改修下地構造の実施例１を図１（ａ）に基づいて説明する。既存外壁Ａに設けた開口部２を介して図４に示す支持具１１が既存下地１に固定され、主胴縁２１がリップ溝型鋼の平面側で支持具１１に直接固定され、複数のＬ型の連結具１３により主胴縁２１に従胴縁２２が直交して配設（既存外壁Ａに対しリップ溝型鋼の開口面側が面する状態で）されており、さらに、既存外壁Ａの開口部２間に設けた下孔３を介してメカナット（登録商標）とボルトとからなるアンカー金具１２に固定された受具１４に従胴縁２２が固定された既存外壁の改修下地構造である。
なお、ゴムシート等の調整材１８を用いて主胴縁２１及び／又は従胴縁２２と既存外壁Ａとの間に挟みこんだ構造とすることもできる。
【００２３】
（実施例２）
実施例２を図１（ｂ）に基づいて説明する。実施例１と異なるのはアンカー金具１２であり、図６（ｂ）に示したアンカー金具１２を用いている既存外壁の改修下地構造である。
【００２４】
【発明の効果】
以上説明したように本発明に係る既存外壁の改修下地構造によれば、▲１▼既存の既存外壁を解体する必要がないので、施工工数を省略出来ると共に、工期を大幅に短縮することができ、しかも施工中の居住や利用に何等支障を来さない。▲２▼既存外壁上に新規外壁を形成するので、施工が簡単でコストを低減できる。▲３▼既存外壁と新規外壁との２重壁構造となり、断熱性、防音性、防火性に富む構造となる。▲４▼既存外壁に開口部と中間の下孔を形成することにより、既存外壁の表面側から下地材を施工者が目で直接確認することができ、支持具の下地材への取り付けが確実で、既存外壁の取り付け強度が劣化しない。▲５▼支持具を２部材として伸縮機能を持たせることで、下地材の不陸の調整が容易に行え、施工が容易となると共に、既存外壁の張り上がりの美観性が向上する。▲６▼支持具は持出梁として、開口部や既存外壁に一切触れることがないので、既存の既存外壁に掛かる負担（荷重）を最小とした改修下地とすることができ、新規の既存外壁の取付強度も充分でかつ、既存外壁が破損することがない。▲７▼胴縁としてリップ溝形鋼を使用することで材料コストや下地材への負担を軽減でき、受具を使用すればリップ溝形鋼の開口面側での固定も容易であり、主胴縁への従胴縁の連結も連結具を使用すれば容易である。▲８▼中間の下孔を介して金具を配設しため、胴縁の横振が防止でき改修下地の強度が大幅に向上する。等の特徴、効果がある。
【図面の簡単な説明】
【図１】本発明に係る既存外壁の改修下地構造の代表例を示す説明図である。
【図２】本発明に係る既存外壁の改修下地構造の代表例を示す説明図である。
【図３】本発明に係る既存外壁の改修下地構造の代表例を示す説明図である。
【図４】本発明に係る既存外壁の改修下地構造に用いられる支持具の例を示す説明図である。
【図５】本発明に係る既存外壁の改修下地構造に用いられる支持具のその他の例を示す説明図である。
【図６】本発明に係る既存外壁の改修下地構造に用いられるアンカー金具の例を示す説明図である。
【図７】本発明に係る既存外壁の改修下地構造に用いられるアンカー金具のその他の例を示す説明図である。
【図８】本発明に係る既存外壁の改修下地構造に用いられる連結具及び受具の例を示す説明図である。
【図９】本発明に係る既存外壁の改修下地構造に用いられる連結具のその他の例を示す説明図である。
【図１０】本発明に係る既存外壁の改修下地構造の代表例を示す説明図である。
【符号の説明】
Ａ．既存外壁
Ｂ．新規外壁
１．既存外壁の下地
２．開口部
３．下孔
４．埋め戻し材
１１．支持具
１２．アンカー金具
１２ａ．ナット部
１３ｂ．ボルト
１３．連結具
１４．受具
１５．固定具
１７．気密性被覆材
１８．調整材
１９．長穴
２１．主胴縁
２２．従胴縁
【図１】
2004218380.tif 000003
【図２】
2004218380.tif 000004
【図３】
2004218380.tif 000005
【図４】
2004218380.tif 000006
【図５】
2004218380.tif 000007
【図６】
2004218380.tif 000008
【図７】
2004218380.tif 000009
【図８】
2004218380.tif 000010
【図９】
2004218380.tif 000011
【図１０】
2004218380.tif 000012
【手続補正書】
【提出日】平成15年1月17日(2003.1.17)
【手続補正１】
【補正対象書類名】明細書
【補正対象項目名】全文
【補正方法】変更
【補正の内容】
【特許請求の範囲】
【請求項１】既存外壁の一部を除去して形成した開口部を介して既存外壁の下地材に固定された支持具と、支持具の他端に直接あるいは受具を介して固定された主胴縁と、主胴縁に連結された従胴縁とから主に構成された改修下地構造において、リップ溝形鋼からなる主胴縁と従胴縁とが連結具によって連結され、開口部間に穿設した下孔を介して設けたアンカー金具に従胴縁が直接または受具を介して固定されていることを特徴とする既存外壁の改修下地構造。
【発明の詳細な説明】
【０００１】
【発明の属する技術分野】
本発明は建築、構築物の既存外壁面を改修するための下地構造に関するものである。さらに詳しくは、新規の外壁を取り付けるための支持具を建物の躯体（下地材）に直接固定した持出梁とすることによって、既存外壁の損傷を最小とし、しかも、新規の外壁の取付強度も充分な既存外壁の改修下地構造に関するものである。
【０００２】
【従来の技術】
一般に、改修下地構造としては▲１▼既存外壁を全て撤去して新規外壁を取り付ける方法、▲２▼既存外壁を下地材として新規外壁を取り付ける方法、▲３▼既存外壁の一部を除去して既存下地から持出して新規下地を形成し新規外壁を取り付ける方法等がある。
【０００３】
【特許文献１】
特公昭６３−３４９３５号
【特許文献２】
特開平１１−６２１７１号
【０００４】
【発明が解決しようとする課題】
上記▲１▼の方法では既存外壁をすべて撤去した場合の撤去費用や撤去した廃材の処理、工事期間中の建物の使用を中止しなければならない等の欠点があり、上記▲２▼の方法では新規壁材を固定、保持するための強度不足、既存外壁の表面の凹凸による不陸等の欠点があり、結論として▲３▼の方法が一番有効だが、既存下地に起因した制約が発生する場合が多く、必ずしも万能とはいえないものであった。
【０００５】
【課題を解決するための手段】
本発明はこのような欠点を解消するため、既存外壁に設けた開口部を介して下地材に固定された支持具と、支持具に固定された主胴縁と、連結具により主胴縁に連結された従胴縁とから主に構成され、開口部間に穿設した下孔を介して設けたアンカー金具に主胴縁または従胴縁が直接または受具を介して固定された構造にすることにより既存下地に起因した制約等を可能な限り除去できる既存外壁の改修下地構造を提案する。
【０００６】
【発明の実施の形態】
以下に、図面を用いて本発明に係る既存外壁の改修下地構造について説明する。
【０００７】
Ａは既存外壁であり、ＲＣ、ＡＬＣ、窯業系、金属系、カーテンウォールなどで、素材が脆弱であったり、あるいは経年変形によるひび割れや退色、強度低下しているものが主である。
【０００８】
Ｂは新規外壁で、図１０に一点鎖線で示すように本発明の下地構造による胴縁上に張設される任意の外壁であり、例えば乾式外壁材や湿式外壁材等があるが、下地材に対する負荷、工期、コスト面等を考慮すると乾式外壁材がより好ましい。
【０００９】
１は既存外壁Ａの既存下地であり、具体的にはＨ形鋼、角形鋼、Ｉ形鋼等の鋼材からなるものである。
【００１０】
２は開口部であり、既存外壁Ａの一部を除去し、既存外壁Ａの既存下地１の配設位置に沿って既存外壁Ａにホールソー、電動ドリル等の孔開け機器を用いて形成され、この開口部２を介して支持具１１が既存下地１に固定され、その形状や大きさは後記する支持具１１が容易に挿入、固定できる程度であれば任意である。また、開口部２において支持具周辺に気密性被覆材１７が形成されることもある。
【００１１】
３は下孔であり、後記するアンカー金具１２を既存外壁Ａに固定するさいに使用する下孔で、アンカー金具の大きさや形状に応じて既存外壁Ａに各種形状で穿設するものである。
【００１２】
１１は支持具であり、開口部２を介して一端を既存下地１に固定し、他端に新規外壁Ｂを取り付けるための胴縁等を固定するものである。
【００１３】
例えば、図４に示す支持具１１は円筒型の外部材と内部材との２部材からなり、外部材は既存下地１に固定される固定用底部と内部材と連結するためのネジ部とを有し、内部材は胴縁を固定する固定用底部並びに外部材と連結するためのネジ部を有し、螺合されている。しかし、本発明は、図４に示す支持具に限定されるものではなく、例えば、図５（ａ）〜（ｅ）に示すように筒状体、各種断面の形鋼あるいは段差付きボルトを直接、あるいは形鋼材の小口にフランジを形成し、このフランジを既存下地１に固定するもの等である。
【００１４】
２１と２２とは胴縁であるが、２１は支持具１１に固定される主胴縁で、２２は主胴縁２１に連結される従胴縁である。主胴縁２１と従胴縁２２とからなる略格子状の胴縁は新規外壁Ｂを形成する際の下地となるものであり、さらに、必要に応じて主胴縁２１または従胴縁２２に新たに新規胴縁を固定して新規外壁Ｂを取付けることもある。主胴縁２１と従胴縁２２はリップ溝形鋼であり、コスト等を考慮したものである。
【００１５】
１２はアンカー金具であり、開口部２間に設けられた下孔３を介して既存外壁Ａに固定されており、既存外壁Ａの内側（既存下地１側）で留めて、既存外壁Ａの外側に位置する面に受具１４または従胴縁２２を固定するものであり、特に従胴縁２２の振れを防止するのに有効である。支持具１１だけでは改修下地構造としての強度不足となる場合の対応、既存下地１の鋼材等のピッチからくる制約の除外、および費用や工数の節約等をも考慮したものである。
【００１６】
例えば、図６（ｂ）に示すアンカー金具１２はナット部１２ａを設けた円板と角板と両者を連結する棹と最後に螺合するボルト１２ｂとからなっており、円板を下孔３に挿入し、図６（ａ）に示すように円板が既存外壁Ａの裏面に達した時点で下に落としこみ、角板側からボルト１２ｂを用いて既存外壁Ａの裏面の円板に設けたナット部１２ａに螺合するものであり、既存外壁Ａのボルトを通す部分は予め窄孔しておくことが望ましい。さらに、下孔３を設ける際にホールソー等により円柱状に除去してあれば、アンカー金具１２の固定後に円柱状除去物４を下孔３に埋め戻すことができる。
【００１７】
また、図１ａ並びに図１０の上部に示すアンカー金具１２は既存外壁Ａの内側にナット部１２ａを固定するもので、具体的には、図７のようにナット部１２ａを折りたたんで下孔３に挿入した後に、ガイド部１２ｃを引っ張ってナット部１２ａを既存外壁Ａの内側に固定して、ナット部１２ａとボルト１２ｂとを螺合したものである。なお図１０において、アンカー金具１２の使用例として、前記図７と図６（ｂ）との混在例を示したが、単一に使用されることが一般的である。他には、図示しないが、接着剤を用いたり、内部で機械的に広がるような構成のアンカー金具１２を使用することができる。
【００１８】
１３は連結具であり、主胴縁２１に従胴縁２２を連結する際に用いるもので、例としては、図８（ａ）に示すような略Ｌ字状の形状や図９に示すような形状である。
【００１９】
１４は受具であり、主胴縁や従胴縁がその形状により支持具１１やアンカー金具１２と直接に固定できない場合に用いられる。形状は主に図８（ｂ）に示すようなコ字状断面のものであり、リップ溝形鋼の開口面と支持具１１やアンカー金具１２とを固定するさいに用いる。
【００２０】
もちろん、支持具１１、アンカー金具１２、連結具１３、あるいは受具１４の固定部や連結部に長穴を予め穿設することで、主胴縁２１や従胴縁２２の固定や連結の調整が容易となる。また、固定部や連結部には必要に応じてパッキング等を用いることができる。
【００２１】
以下に、実施例を示すが、これにより本発明がこれらの実施例に限定されるものではない。
【００２２】
（実施例１）
本発明に係る改修下地構造の実施例１を図１（ａ）に基づいて説明する。既存外壁Ａに設けた開口部２を介して図４に示す支持具１１が既存下地１に固定され、主胴縁２１がリップ溝型鋼の平面側で支持具１１に直接固定され、複数のＬ型の連結具１３により主胴縁２１に従胴縁２２が直交して配設（既存外壁Ａに対しリップ溝型鋼の開口面側が面する状態で）されており、さらに、既存外壁Ａの開口部２間に設けた下孔３を介してメカナット（登録商標）１２ａとボルト１２ｂとからなるアンカー金具１２に固定された受具１４に従胴縁２２が固定された既存外壁の改修下地構造である。
なお、ゴムシート等の調整材１８を主胴縁２１及び／又は従胴縁２２と既存外壁Ａとの間に挟みこんだ構造とすることもできる。
【００２３】
（実施例２）
実施例２を図１（ｂ）に基づいて説明する。実施例１と異なるのはアンカー金具１２であり、図６（ｂ）に示したアンカー金具１２を用いている既存外壁の改修下地構造である。
【００２４】
（実施例３〜６）
実施例３〜６について、図２、３に基づいて簡単に説明する。実施例３を示す図２（ａ）は、上記実施例２において主胴縁２１及び従胴縁２２の向きを表裏反転し、支持具１１との間に受具１４を介在したもの、実施例４を示す図２（ｂ）は、実施例１において、支持具１１を中心に９０度回転した状態としたもの、実施例５を示す図３（ａ）は、実施例３において、従胴縁２２の表裏を反転したもの、実施例６を示す図３（ｂ）は実施例４において、従胴縁２２の表裏を反転したものである。
【００２５】
【発明の効果】
以上説明したように本発明に係る既存外壁の改修下地構造によれば、▲１▼既存の既存外壁を解体する必要がないので、施工工数を省略出来ると共に、工期を大幅に短縮することができ、しかも施工中の居住や利用に何等支障を来さない。▲２▼既存外壁上に新規外壁を形成するので、施工が簡単でコストを低減できる。▲３▼既存外壁と新規外壁との２重壁構造となり、断熱性、防音性、防火性に富む構造となる。▲４▼既存外壁に開口部と中間の下孔を形成することにより、既存外壁の表面側から下地材を施工者が目で直接確認することができ、支持具の下地材への取り付けが確実で、既存外壁の取り付け強度が劣化しない。▲５▼支持具を２部材として伸縮機能を持たせることで、下地材の不陸の調整が容易に行え、施工が容易となると共に、既存外壁の張り上がりの美観性が向上する。▲６▼支持具は持出梁として、開口部や既存外壁に一切触れることがないので、既存の既存外壁に掛かる負担（荷重）を最小とした改修下地とすることができ、新規の既存外壁の取付強度も充分でかつ、既存外壁が破損することがない。▲７▼胴縁としてリップ溝形鋼を使用することで材料コストや下地材への負担を軽減でき、受具を使用すればリップ溝形鋼の開口面側での固定も容易であり、主胴縁への従胴縁の連結も連結具を使用すれば容易である。▲８▼中間の下孔を介して金具を配設しため、胴縁の横振が防止でき改修下地の強度が大幅に向上する。等の特徴、効果がある。
【図面の簡単な説明】
【図１】本発明に係る既存外壁の改修下地構造の代表例を示す説明図である。
【図２】本発明に係る既存外壁の改修下地構造の代表例を示す説明図である。
【図３】本発明に係る既存外壁の改修下地構造の代表例を示す説明図である。
【図４】本発明に係る既存外壁の改修下地構造に用いられる支持具の例を示す説明図である。
【図５】本発明に係る既存外壁の改修下地構造に用いられる支持具のその他の例を示す説明図である。
【図６】本発明に係る既存外壁の改修下地構造に用いられるアンカー金具の例を示す説明図である。
【図７】本発明に係る既存外壁の改修下地構造に用いられるアンカー金具のその他の例を示す説明図である。
【図８】本発明に係る既存外壁の改修下地構造に用いられる連結具及び受具の例を示す説明図である。
【図９】本発明に係る既存外壁の改修下地構造に用いられる連結具のその他の例を示す説明図である。
【図１０】本発明に係る既存外壁の改修下地構造の代表例を示す説明図である。
【符号の説明】
Ａ．既存外壁
Ｂ．新規外壁
１．既存外壁の下地
２．開口部
３．下孔
４．埋め戻し材
１１．支持具
１２．アンカー金具
１２ａ．ナット部
１３ｂ．ボルト
１３．連結具
１４．受具
１５．固定具
１７．気密性被覆材
１８．調整材